(57)【要約】【課題】  調査対象者の負担を軽減すると共に視聴者を容易に識別することを図る。【解決手段】  テレビ受像機５で表示中の番組の識別情報を当該表示時刻情報と共に記録する表示番組情報記録装置３と、視聴率の調査対象者ごとに発行され、固有のタグ識別情報を有し、該タグ識別情報を発信する無線タグ１と、無線タグ１から発信されたタグ識別情報を受信し、受信したタグ識別情報を当該受信時刻情報と共に記録する視聴者情報記録装置２と、表示番組情報および視聴者情報に基づいて視聴者測定データを算出する記録データ分析処理装置４とを備える。【選択図】    図１
2006050134.tif 000002
【特許請求の範囲】
【請求項１】
番組映像を表示する表示装置と、
前記表示中の番組の識別情報を当該表示時刻情報と共に記録する表示番組情報記録装置と、
視聴率の調査対象者ごとに発行され、固有のタグ識別情報を有し、該タグ識別情報を発信する無線タグと、
前記無線タグから発信されたタグ識別情報を受信し、受信したタグ識別情報を当該受信時刻情報と共に記録する視聴者情報記録装置と、
前記表示番組情報および前記視聴者情報に基づいて視聴者測定データを算出する記録データ分析装置と、
を備えたことを特徴とする視聴率測定システム。
【請求項２】
前記視聴者情報記録装置は、
前記無線タグから発信される電波を受信するアンテナの指向性又は感度を変更可能なように構成されることを特徴とする請求項１に記載の視聴率測定システム。
【請求項３】
前記視聴者情報記録装置は、
前記無線タグに対する送信電力を変更可能なように構成されることを特徴とする請求項１に記載の視聴率測定システム。
【請求項４】
前記無線タグは、保持手段によって前記調査対象者に身に付けられることを特徴とする請求項１から３のいずれかの項に記載の視聴率測定システム。
【発明の詳細な説明】
【技術分野】
【０００１】
本発明は、視聴率測定システムに関する。
【背景技術】
【０００２】
従来のテレビ番組の視聴率測定システムとしては、主に、宅内のテレビ受像機に取り付けられた視聴率計測用機器とリモートコントローラとから構成されるピープルメータと呼ばれるシステムが知られている（従来技術１）。このピープルメータシステムでは、リモートコントローラは調査対象者ごとに割当てられた押しボタンを備えている。各調査対象者は、テレビ番組の視聴を開始する際に自分用の押しボタンを押下し、この視聴開始情報がリモートコントローラから視聴率計測用機器に送信される。また、テレビ番組の視聴終了の際にも自分用の押しボタンを押下し、この視聴終了情報がリモートコントローラから視聴率計測用機器に送信される。そして、視聴率計測用機器は、その視聴開始情報および視聴終了情報に基づいて当該調査対象者の視聴実績を記録する。
【０００３】
また、特許文献１に記載される技術（従来技術２）では、テレビ受像機の表示画面と同じ方向を向いたカメラを設け、このカメラによってテレビ受像機の前でテレビ番組を視聴している人を撮影し、この撮影データから人を検出し、検出した人数を表示中のテレビ番組を見ている人数として測定している。
【特許文献１】特開２００４−６４３６８号公報
【発明の開示】
【発明が解決しようとする課題】
【０００４】
しかし、上述した従来技術１では、リモートコントローラのボタンの押し忘れによって正確な視聴率測定データが得られないという問題がある。また、幼児などのリモートコントローラの操作が困難な人に関する有効なデータを得ることは難しい。
【０００５】
また、上述した従来技術２では、視聴者を識別するためには画像認識技術等により各人を識別する必要があり、このため画像処理量が増大し装置構成が大規模且つ複雑になると共にコストが増大する。
【０００６】
本発明は、このような事情を考慮してなされたもので、その目的は、調査対象者の負担を軽減すると共に視聴者を容易に識別することができる視聴率測定システムを提供することにある。
【課題を解決するための手段】
【０００７】
上記の課題を解決するために、本発明に係る視聴率測定システムは、番組映像を表示する表示装置と、前記表示中の番組の識別情報を当該表示時刻情報と共に記録する表示番組情報記録装置と、視聴率の調査対象者ごとに発行され、固有のタグ識別情報を有し、該タグ識別情報を発信する無線タグと、前記無線タグから発信されたタグ識別情報を受信し、受信したタグ識別情報を当該受信時刻情報と共に記録する視聴者情報記録装置と、前記表示番組情報および前記視聴者情報に基づいて視聴者測定データを算出する記録データ分析装置とを備えたことを特徴としている。
【０００８】
本発明に係る視聴率測定システムにおいては、前記視聴者情報記録装置は、前記無線タグから発信される電波を受信するアンテナの指向性又は感度を変更可能なように構成されることを特徴とする。
【０００９】
本発明に係る視聴率測定システムにおいては、前記視聴者情報記録装置は、前記無線タグに対する送信電力を変更可能なように構成されることを特徴とする。
【００１０】
本発明に係る視聴率測定システムにおいては、前記無線タグは、保持手段によって前記調査対象者に身に付けられることを特徴とする。
【発明の効果】
【００１１】
本発明によれば、視聴率の調査対象者に身に付けられた無線タグのタグ識別情報が自動的に読み取られることによって表示番組の視聴者が特定できるので、調査対象者の負担を軽減すると共に視聴者を容易に識別することができる。これにより、視聴率測定データの精度向上を図ることが可能となる。
【発明を実施するための最良の形態】
【００１２】
以下、図面を参照し、本発明の一実施形態について説明する。
図１は、本発明の一実施形態に係る視聴率測定システムの構成を示すブロック図である。図１において、視聴率測定システムは、無線タグ１、視聴者情報記録装置２、表示番組情報記録装置３、記録データ分析処理装置４及びテレビ受像機５から構成されている。視聴者情報記録装置２、表示番組情報記録装置３及びテレビ受像機５は宅内に備えられている。表示番組情報記録装置３はテレビ受像機５に接続されている。記録データ分析処理装置４は、各調査対象世帯のデータを集中的に処理するために、例えば視聴率調査会社内に備えられている。視聴者情報記録装置２及び表示番組情報記録装置３は、通信回線を介して記録データ分析処理装置４に接続される。
【００１３】
図２は、図１に示す無線タグ１の構成を示すブロック図である。
無線タグ１は、視聴率の調査対象者ごとに発行されており、固有のタグＩＤを有する。無線タグ１は、ネックホルダー等の保持手段によって該当する調査対象者に身に付けることができるようになっている。
【００１４】
図２において、送受部１１は、視聴者情報記録装置２との間で電波を送受信することができ、信号を非接触で送受する。制御部１２は、ＩＤ記憶部１３に記憶されているタグＩＤを送受部１１を介して発信する制御を行う。記憶部１３は上記したタグＩＤなどを記憶している。制御部１２の発信制御によって、無線タグ１からはタグＩＤが間欠的に発信される。
【００１５】
図３は、図１に示す視聴者情報記録装置２の構成を示すブロック図である。
視聴者情報記録装置２は、テレビ受像機５が設置されている部屋に備えられる。
図３において、送受部２１は、電波を送受信することができ、無線タグ１との間で信号を非接触で送受する。制御部２２は、送受部２１を介して無線タグ１からタグＩＤを受信する。受信したタグＩＤは、時計部２５から出力される時刻データと共に記憶部２３に保存する。通信部２４は、通信回線を介して、記録データ分析処理装置４に記憶部２３の視聴者情報を送信する。
【００１６】
図４は、記憶部２３に記録されている視聴者情報の構成例を示す図である。図４に示されるように、無線タグ１から受信されたタグＩＤが当該受信時刻と共に記録されている。
【００１７】
図５は、図１に示す表示番組情報記録装置３の構成を示すブロック図である。
図５において、表示番組ＩＤ取得部３１は、テレビ受像機５から出力される表示番組ＩＤを受信する。表示番組ＩＤは、テレビ受像機５で画面表示中の番組を特定する識別情報である。制御部３２は、表示番組ＩＤ取得部３１によって取得した表示番組ＩＤを時計部３５から出力される時刻データと共に記憶部３３に保存する。通信部３４は、通信回線を介して、記録データ分析処理装置４に記憶部３３の表示番組情報を送信する。
【００１８】
図６は、記憶部３３に記録されている表示番組情報の構成例を示す図である。図６に示されるように、テレビ受像機５から取得された表示番組ＩＤが当該表示時刻と共に記録されている。
【００１９】
図７は、図１に示す記録データ分析処理装置４の構成を示すブロック図である。
図７において、通信部４１は、通信回線を介して、視聴者情報記録装置２から視聴者情報を受信する。また、表示番組情報記録装置３から表示番組情報を受信する。制御部４２は、通信部４１によって受信した同一調査対象世帯の視聴者情報及び表示番組情報を対応付けて記憶部４３に保存する。分析部４４は、記憶部４３の同一調査対象世帯の視聴者情報及び表示番組情報に基づいて、番組ごとの視聴人数を算出する。また、一番組についての時間帯別の視聴人数を算出してもよい。分析部４４は、算出した視聴率測定データを出力する。この視聴率測定データは、記憶装置に記録されてもよく、或いは他の視聴率測定データ処理装置に入力されてもよい。
【００２０】
上述した実施形態によれば、調査対象者に身に付けられた無線タグ１のタグＩＤが自動的に読み取られることによって表示番組の視聴者が特定できるので、調査対象者の負担を軽減すると共に視聴者を容易に識別することができる。これにより、視聴率測定データの精度向上を図ることが可能となる。
【００２１】
なお、視聴者の検出精度の向上を図るために、無線タグ１のタグＩＤを読み取り可能な範囲を制御できるように構成してもよい。具体的には、図３の送受部２１に備わる受信アンテナの指向性又は感度を変更可能なように構成する。又は、送受部２１の送信電力を変更可能なように構成する。そして、テレビ受像機５が設置されている部屋の広さや家具の配置などに応じて、送受部２１の設定を変更し、無線タグ１のタグＩＤを読み取り可能な範囲を調節する。これにより、調査対象世帯におけるテレビ受像機５の視聴時の通常の視聴者位置に合わせて、無線タグ１のタグＩＤを読み取り可能な範囲を定めることができる。例えば、テレビ受像機５の表示画面の中心線の前方向の左右それぞれ４５度の範囲内、且つ表示画面の中心から距離３ｍ以内の範囲に定める。これにより、当該読み取り範囲で読み取られた無線タグ１のタグＩＤは視聴者のタグＩＤである可能性が非常に高くなるので、視聴者の検出精度が向上する。
【００２２】
また、上述した実施形態では、視聴者情報記録装置２および表示番組情報記録装置３からそれぞれ視聴者情報および表示番組情報をオンラインで収集したが、オフラインで収集するようにしてもよい。
【００２３】
また、調査対象世帯の宅内に記録データ分析処理装置４を備え、視聴率測定データをオンライン又はオフラインで出力するようにしてもよい。
【００２４】
また、視聴者情報記録装置２および表示番組情報記録装置３を一装置として構成するようにしてもよい。
【００２５】
以上、本発明の実施形態を図面を参照して詳述してきたが、具体的な構成はこの実施形態に限られるものではなく、本発明の要旨を逸脱しない範囲の設計変更等も含まれる。
【図面の簡単な説明】
【００２６】
【図１】本発明の一実施形態に係る視聴率測定システムの構成を示すブロック図である。
【図２】図１に示す無線タグ１の構成を示すブロック図である。
【図３】図１に示す視聴者情報記録装置２の構成を示すブロック図である。
【図４】図３に示す記憶部２３に記録されている視聴者情報の構成例を示す図である。
【図５】図１に示す表示番組情報記録装置３の構成を示すブロック図である。
【図６】図５に示す記憶部３３に記録されている表示番組情報の構成例を示す図である。
【図７】図１に示す記録データ分析処理装置４の構成を示すブロック図である。
【符号の説明】
【００２７】
１…無線タグ、２…視聴者情報記録装置、３…表示番組情報記録装置、４…記録データ分析処理装置、５…テレビ受像機。
【図１】
2006050134.tif 000003
【図２】
2006050134.tif 000004
【図３】
2006050134.tif 000005
【図４】
2006050134.tif 000006
【図５】
2006050134.tif 000007
【図６】
2006050134.tif 000008
【図７】
2006050134.tif 000009